(57)【特許請求の範囲】
【請求項１】
筒体と、筒体内部に光を照射するために筒体端部に設置された光源とを備えた照明器具であって、
前記筒体は、外筒と、外筒の内周面を覆って設けられたレンズシートとを有し、
前記レンズシートは、前記筒体の略周方向に延在する複数のプリズム溝によって仕切られた多数の柱状プリズムが形成されたレンズシートであり、
前記筒体は、前記外筒と前記レンズシートとの間に配置されたプリズムシートであって、二次元に多数の錐体プリズムが形成された光拡散用のプリズムシートをさらに有することを特徴とする照明器具。
【請求項２】
前記レンズシートに形成された柱状プリズムは、三角柱状プリズム又は半円柱状プリズムであることを特徴とする請求項１記載の照明器具。
【請求項３】
前記筒体は、前記光源と反対側端部に、前記光源から導光されてきた光を筒体内部側に反射させるための反射部材であって、錐体形状の反射部材をさらに有することを特徴とする請求項１又は２記載の照明器具。
【請求項４】
筒体と、筒体内部に光を照射して筒体外周面を光らせるために筒体端部に設置された光源とを備えた照明器具であって、
前記筒体は、外筒と、外筒の内周面を覆って設けられたレンズシートとを有し、
前記レンズシートは、前記筒体の略周方向に延在するプリズム溝によって仕切られた柱状プリズムが、前記筒体の軸方向に並んで形成されたレンズシートであり、
前記筒体は、前記外筒と前記レンズシートとの間に配置されたプリズムシートであって、二次元に多数の錐体プリズムが形成された光拡散用のプリズムシートをさらに有することを特徴とする照明器具。
【請求項５】
筒体と、筒体内部に光を照射するための光源とを備えた照明器具の製造方法において、
外筒内周面を覆うように、二次元に多数の錐体プリズムが形成された光拡散用のプリズムシートを外筒の内部に挿入する工程と、
前記プリズムシートの内周面を覆うように、互いに平行な複数のプリズム溝によって仕切られた多数の柱状プリズムが形成されたレンズシートを外筒の内部に挿入して前記筒体を形成する工程と、
筒体の一方の端部に前記光源を設置する工程と、を備え、
前記筒体を形成する工程は、前記プリズム溝が前記筒体の軸方向に垂直になるように前記レンズシートを挿入する工程であることを特徴とする照明器具の製造方法。
【発明の詳細な説明】
【技術分野】
【０００１】
本発明は、照明器具に関し、特に筒状の照明器具に好適な発明である。
【背景技術】
【０００２】
従来から、筒の内部にＬＥＤ（発光ダイオード）等の光源を備えた照明器具が知られている。例えば、下記特許文献１には、棒状の鞘内部に複数のＬＥＤを備えた誘導棒が開示されている。
【特許文献１】特開平８−６４００２号公報
【０００３】
図７は、上記特許文献１に開示されている誘導棒１００の構成を示す概略断面図（点滅体の一部を断面として表した図）である。図７に示すように、従来の誘導棒１００は、鞘１０２と、連結部１０４と、握り部１０６とから構成される。鞘１０２の内部には、基板１１０と、基板１１０に接続された２本の導線１１２と、導線１１２に接続されたＬＥＤ１１４とからなる点滅体１０８が収容されている。この誘導棒１００は、夜間の交通検問又は交通整理等に使用されており、その際には、ＬＥＤ１１４を点滅（点灯）させた状態で握り部１０６を持ちながら上下左右に振ったりして使用される。
【０００４】
ところが、この誘導棒１００は、点滅体１０８として、棒状の導線１１２に複数のＬＥＤ１１４を半田付け等により取り付けられたものが、鞘１０２の内部全体に渡って設けられている。このため、使用者が握り部１０６を持ちながら上下左右に振ったりして使用した場合に、導線１１２とＬＥＤ１１４との接続が外れたり、ＬＥＤ１１４が衝撃により破損したりする場合があった。また、ＬＥＤ１１４を導線１１２に取り付けるのに手間がかかると共に、製造コストも高くなってしまう等の問題があった。そこで、このような問題を解決するために、下記特許文献２及び特許文献３が開示されている。
【特許文献２】特開２００３−２９７１１１号公報
【特許文献３】特開２００３−２９７１１２号公報
【０００５】
例えば、上記特許文献２には、棒状の光分散体（発光部）の一端側内部に設けられた高輝度発光ダイオードを発光することで、光分散体（発光部）全体を光らせようとした棒状ライトが開示されている。この棒状ライトは、電源としての電池を収容する電池ケースと、その一端に固着された発光部とから構成される。発光部は、筒状の光分散体と、その内部に配置された半透明アクリル樹脂からなる円柱状の導光体と、導光体の外周面を被覆する半反射フィルムとを備える。また、光分散体の一端（電池ケース側）内部中央には、高輝度発光ダイオードが配置され、他端面には光反射体が対面配置されている。
【０００６】
この棒状ライトにおいては、高輝度発光ダイオードから発光された光がアクリル樹脂からなる導光体内に導かれる。この導光体内に導かれた光は、光反射体に反射されると共に、半反射フィルムにも反射される。そして、この反射された光は、半反射フィルムを通って光分散体を透過することで分散され、光分散体の外周表面全体を光らせるものである。
【０００７】
また、上記特許文献３には、円筒状の光透過性部材の一端側に配置された高輝度ＬＥＤを発光することで、光透過性部材全体が点灯されたように光った状態とすることができる筒型点灯装置が開示されている。この筒型点灯装置は、内部に高輝度ＬＥＤ等を備えたケース部材と、このケース部材に連結固定される光透過性部材とから構成される。光透過性部材の内部空間内には、長手方向において、等間隔に複数のドーナッツ状の導光部材が配置されている。
【０００８】
この筒型点灯装置において、高輝度ＬＥＤから発光された光は、光透過性部材の内部に設けられた一番手前の導光部材（高輝度ＬＥＤに一番近い導光部材）に照射される。このとき、照射された光の一部は、ドーナッツ状の導光部材の孔（通過部）を通過して、次の（先端部側）導光部財に照射される。また、照射された他の光（孔を通過しない光）は、導光部材の入射部から導光部材内に入射する。この入射した光は、導光部材内を肉厚方向に反射しながら外周側に進む。そして、この外周側に進んだ光は、光透過部材の内周面へと到達し、導光部材の出射部から外部へと放出される。このように、高輝度ＬＥＤから発光されて導光部材に照射された光は、その一部がドーナッツ状の導光部材の孔（通過部）を通過し次の導光部財に照射される。そして、順次、先端部に向け照射されていく。また、導光部材の孔を通過せず、導光部材の入射部に入射した光は、導光部材内で反射しながら外周側に進み、出射部から外部に放出される。これにより、光透過性部材全体を点灯されたように光った状態とするものである。
【発明の開示】
【発明が解決しようとする課題】
【０００９】
しかしながら、上記特許文献２に記載の棒状ライトでは、導光体の導光率が低いので、高輝度発光ダイオードから発光された光が先端部に到達するまでに導光体内で徐々に減衰してしまう。このため、この棒状ライトでは、高輝度発光ダイオードから近い部分では明るく、遠ざかるにつれて急激に暗くなるという問題があった。また、上記特許文献３に記載の筒型点灯装置では、高輝度ＬＥＤから発光された光が順番に複数の導光部材を通過することで徐々に減衰しまう。そのため、この筒型点灯装置でも、高輝度ＬＥＤに近い部分では明るく、遠ざかるにつれて急激に暗くなるという問題があった。
【００１０】
本発明は、このような課題を解決するためになされたものであり、照明器具の発光部から筒体内に発光された光の減衰を抑えながら先端部まで導光させることで、筒体全体をできるだけ均一に光せることができる照明器具を提供することを目的とする。
【課題を解決するための手段】
【００１１】
上記課題を解決するために、本発明に係る照明器具は、筒体と、筒体内部に光を照射するために筒体端部に設置された光源とを備えた照明器具であって、前記筒体は、外筒と、外筒の内周面を覆って設けられたレンズシートとを有し、前記レンズシートは、前記筒体の略周方向に延在する複数のプリズム溝によって仕切られた多数の柱状プリズムが形成されたレンズシートであり、前記筒体は、前記外筒と前記レンズシートとの間に配置されたプリズムシートであって、二次元に多数の錐体プリズムが形成された光拡散用のプリズムシートをさらに有することを特徴とする。
【００１２】
また、本発明に係る照明器具の製造方法は、筒体と、筒体内部に光を照射するための光源とを備えた照明器具の製造方法において、外筒内周面を覆うように、二次元に多数の錐体プリズムが形成された光拡散用のプリズムシートを外筒の内部に挿入する工程と、前記プリズムシートの内周面を覆うように、互いに平行な複数のプリズム溝によって仕切られた多数の柱状プリズムが形成されたレンズシートを外筒の内部に挿入して前記筒体を形成する工程と、筒体の一方の端部に前記光源を設置する工程と、を備え、前記筒体を形成する工程は、前記プリズム溝が前記筒体の軸方向に垂直になるように前記レンズシートを挿入する工程であることを特徴とする。
【発明の効果】
【００１３】
本発明に係る照明器具によれば、照明器具の発光部から発光される光により、筒体全体を一様に光せることが可能となる。
【発明を実施するための最良の形態】
【００１４】
以下、添付図面を参照しながら本発明の実施の形態について詳細に説明する。本実施の形態では、照明体の筒体の一端に設けられた発光部の発光ダイオード（ＬＥＤ）を発光することで、筒体全体を光らせる誘導灯について説明する。
【００１５】
まず、本実施の形態に係る誘導灯１０の構成について説明する。図１は、本実施の形態に係る誘導灯１０の照明体１２の一部を切断した状態を示す概略断面図、図２は、図１のＡ−Ａ線拡大断面図、図３は、図１のＢ部矢視拡大図である。なお、図３は、レンズシート２４を説明するため、レンズシート２４の表面形状のみをさらに拡大して描いている。
【００１６】
図１乃至図３に示すように、本実施の形態に係る誘導灯１０は、照明体１２と、この照明体１２に接続される把持部としての電池ケース１４とから構成される。この誘導灯１０は、後述するように、電池ケース１４を握りながら押しボタン３８を押し、発光体（発光ダイオード）３２を発光させた状態で上下左右に振ることで、夜間の交通検問又は交通整理等に使用される。
【００１７】
照明体１２は、円筒形状の筒体１６と、筒体１６の一端（図１において下端）に接続された発光部１８とから構成される。
【００１８】
筒体１６は、図１及び図２に詳細に示すように、プラスチック材料にて一体成形された外筒２０と、外筒２０の内側に配置されたプリズムシート２２と、プリズムシート２２の内側に配置されたレンズシート２４と、筒体１６の先端（図１において上端）に設けられる上部カバー２６と、上部カバー２６内に設けられる反射部材２８とから構成される。
【００１９】
プリズムシート２２は、広げた状態で長方形状をしており、丸められて外筒２０内に挿入されて、外筒２０の内周面全体を覆うように配置されている。同じく、レンズシート２４も広げた状態で長方形状をしており、丸められてプリズムシート２２の内側に挿入されて、プリズムシート２２の内周面全体を覆うように配置されている。本実施の形態において、外筒２０は、例えば、ポリカーボネート（ＰＣ）、アクリル樹脂等の樹脂材料により一体成形される。また、外筒２０の内周面には、その中心軸方向に伸びる溝が、円周方向に等間隔に並んで多数形成されている。よって、外筒２０をその中心軸に垂直な面で切断すると、その内周面断面には、円周方向に凹凸が連続して現れることになる（図２参照）。
【００２０】
次に、図４を参照して、プリズムシート２２の構成について詳細に説明する。図４は、本実施の形態に係るプリズムシート２２の構成を示す図であり、図４（ａ）は、概略斜視図、図４（ｂ）は、その概略断面図である。図４に示すように、プリズムシート２２は、その一方の面（表面）に、四角錘形状のマイクロプリズム２２ａが全面（図中のＸ軸、Ｙ軸方向（二次元））に多数形成されている。なお、図中Ｙ軸方向は、筒体１６の軸方向と平行な方向、Ｘ軸方向は、筒体１６の軸方向と直交する方向である。
【００２１】
このように、本実施形態に係るプリズムシート２２においては、各プリズムを仕切るプリズム溝２２ｂを、Ｘ軸及びＹ軸方向の双方に平行に多数設け、多数の四角錐形状のマイクロプリズム２２ａを形成している。したがって、プリズムシート２２は、入射した光を様々な方向に拡散させながら反射又は透過させる特性を有する。本実施の形態においては、プリズムシート２２は、マイクロプリズム２２ａが設けられている表面側が内側（レンズシート２４側）になるように配置されている。なお、マイクロプリズム２２ａの形状は、四角錐に限らず、円錐や三角錐等の錐体形状であっても良く、プリズムシート２２に入射した光を拡散させながら透過させる作用を持たせる形状であれば、何れの形状であっても良い。
【００２２】
これにより、後述するレンズシート２４を透過してプリズムシート２２に入射した光のうち、プリズムシート２２を拡散透過した光によって、外筒２０全体を光らせることができる。本実施の形態においては、プリズムシート２２は、赤色に着色されており、これにより誘導灯１０の筒体１６を赤く光らせている。なお、このようなプリズムシート２２としては、様々なものが市販されている。
【００２３】
次に、図５を参照して、レンズシート２４の構成について詳細に説明する。図５は、本実施の形態に係るレンズシート２４の構成を示す図であり、図５（ａ）は、概略斜視図、図５（ｂ）は、その概略断面図である。図５に示すように、レンズシート２４は、その一方の面（表面）に、Ｘ軸方向に延伸する三角柱状のプリズム２４ａがＹ軸方向（一次元）に多数平行に並んで形成されている。なお、図中Ｙ軸方向は、筒体１６の軸方向と平行な方向、Ｘ軸方向は、筒体１６の軸方向と直交する方向である。
【００２４】
このように、本実施形態に係るレンズシート２４においては、各プリズムを仕切るプリズム溝２４ｂを、Ｘ軸方向においてのみ平行に多数設け、多数の三角柱状プリズム２４ａを多数形成している。よって、プリズム２４ａは、例えば、ＹＺ平面に平行にレンズシート２４に入射した光をＹＺ平面においてのみ屈折・反射させることとなり、Ｘ軸方向に屈折・反射させることはない。
【００２５】
上述した四角錐状のマイクロプリズム２２ａが二次元に配置されたプリズムシート２２は、ＹＺ平面に平行に入射した光であっても、Ｘ軸方向に屈折・反射させる作用を有するので、光を拡散させる用途には適しているが、光をある所定の方向に導光させる用途には適していない。一方、レンズシート２４は、上述したように入射した光をＹＺ平面においてのみ屈折・反射させるので、光を所定の方向（Ｙ方向）に導光させる用途に適している。
【００２６】
本実施形態では、筒体１６の一端に設けられた発光体３２からの光を、なるべく筒体１６の内部全体に均一に導光させ、外筒２０各部において外部へと透過させることで、筒体１６全体を均一に光らせることが望ましい。これを実現するため、本実施形態では、筒体１６の最内周に、プリズム２４ａが設けられている表面側を内側としてレンズシート２４を配置している。このとき、光源からの光を筒体１６の軸方向（Ｙ方向）に導光させるべく、プリズム溝２４ｂが、筒体１６の軸方向に直交するように、その円周方向である周方向に延在して配置されている。
【００２７】
ここで、一般に、レンズシートとは、前方への集光効果を持たせたシート（フィルムあるいは板）のことをいい、断面が鋸歯状やカマボコ状などがある。また、プリズムシートとは、レンズシートの一種である。なお、本実施の形態においては、レンズシート２４として、三角柱状の多数のプリズムを有するレンズシートを用いたが、光源からの光の大部分を所定の方向に導光できるシートであれば、適宜、他の構成のレンズシートを用いることができる。例えば、カマボコ状プリズム（断面が円弧状のプリズム）が多数平行に形成されたレンチキュラーレンズシート等を使用しても良い。
【００２８】
また、上部カバー２６は、プラスチック材料にて、その内部に筒体１６の先端が嵌合できるように凹状に一体成形されている。本実施の形態において、上部カバー２６は、プリズムシート２２と同じく赤色に着色されている。上部カバー２６の凹状の内面２６ａには、その表面が鏡面状に成形された円錐形状の反射部材２８が設けられている。これにより、筒体１６の先端部側に到達した光源からの光を筒体内部の発光部側に反射して戻すことができる。
【００２９】
発光部１８は、図１乃至図３に詳細に示すように、筒体１６の一端に接続される筐体３０と、筒体１６の空間内部に向け発光できるように配置された光源としての発光体（発光ダイオード）３２と、発光体３２を固定するための反射板３４と、発光体３２の点灯、点滅又は消灯を制御するための基板３６と、発光体３２を点灯、消灯又は点滅させるための押しボタン３８とから構成される。
【００３０】
筐体３０は、プラスチック材料によってほぼ円筒状に一体成形され、筒体１６の端部が嵌合される凹部３０ａと、電池ケース１４の雄ネジ部（図示せず）が取り付けられる雌ネジ部（図示せず）とが形成されている。また、その外周面には、後述する押しボタン３８が挿入される孔３０ｂと、押しボタンを操作するための窪み３０ｃとが形成されている。
【００３１】
発光体３２は、赤色の光を発光する赤色ＬＥＤ（発光ダイオード）３２ａと、後述する基板３６に接続されるリード線３２ｂとを有する。この発光体３２は、後述する反射板３４の孔３４ａにリード線３２ｂを差し込み、反射板３４の反射面３４ｂ上に接着剤等で接着して固定される。本実施の形態において、発光体３２は、赤色ＬＥＤ３２ａが反射板３４の反射面３４ｂ上の同一円周上に６０度間隔で６個設けられている。ＬＥＤ３２ａは、例えば、光度が約１００００mcd（ミリカンデラ）のものが使用される。なお、ＬＥＤ３２ａの色や光度は、使用形態により、適宜選択可能である。
【００３２】
反射板３４は、図１乃至図３に詳細に示すように、樹脂材料等で円盤状に一体成形され、ＬＥＤ３２のリード線３２ａを差し込むための複数の孔３４ａが同一円周上に設けられている。孔３４ａが設けられている位置は、円盤状の反射板３４の最外周に近い位置である。また、その上面には、ＬＥＤ３２から発光された光の一部を筒体１６側へ反射させることができる反射面３４ｂが形成されている。この反射面３４ｂにより、ＬＥＤ３２から発光された光を効率よく利用することができる。
【００３３】
なお、ＬＥＤ３２ａ（孔３４ａ）を設ける位置及び個数は適宜変更可能であるが、できるだけ、反射板３４の中心よりも外周に近い部分、すなわち、筐体３０に近い部分に設置するほうが、ＬＥＤ３２ａから発光させる光をより筒体１６の先端部分まで導光できるので望ましい。これは、ＬＥＤ３２ａを反射板３４の外周近傍部分に設けたほうが、レンズシート２４への入射角が大きくなり、レンズシートにおいて反射されて先端部へと導光される光が多くなるからである。
【００３４】
基板３６は、発光体３２を発光、消灯又は点滅させるための制御回路を備えている。また、基板３６には、ＬＥＤ３２ａのリード線３２ｂと、筐体３０の孔３０ｂに設けられた押しボタン３８のリード線（図示せず）とが、半田付け等により接続される。これにより、押しボタン３８を押すことで、発光体３２を発光、消灯又は点滅させることができる。
【００３５】
電池ケース１４は、図１に詳細に示すように、その一端側に設けられた雄ネジ部（図示せず）により、発光部１８の筐体３０の雌ネジ部（図示せず）に取り付けられている。また、電池ケース１４には、その内部に電池４０が挿入されており、上記発光部１８へ電源を供給する。本実施の形態において、電池４０は、充電式のものでも、それ以外の電池でも良く、使用される電池のサイズも適宜選択され使用されても良い。
【００３６】
以上、本実施形態に係る誘導灯１０の構成について詳細に説明したが、次に、このように構成された誘導灯１０の作用を図１乃至図３に加えて図６を参照しながら説明する。図６は、本実施の形態に係る発光体３２から発光された光の進行方向をイメージ的に示した図である。
【００３７】
まず、押しボタン３８が押されることにより赤色ＬＥＤ３２ａが発光する。ＬＥＤ３２ａから発光された光は、筒体１６の内部空間内に向けて照射され、筒体１６内に配置されたレンズシート２４に入射する。所定の角度でレンズシート２４に入射した光はレンズシート２４を透過し（図６の符号Ｐ２参照）、それ以外の光はレンズシート２４によって反射される（図６の符号Ｐ１参照）。
【００３８】
このとき、上述したように、レンズシート２４のプリズム溝２４ｂは、筒体１６の軸方向と直交する円周方向にのみ形成されているので、レンズシート２４に入射する光は、筒体１６の軸に垂直な方向にはさほど拡散されない。よって、ＬＥＤ３２ａから発光された光は、レンズシート２４による反射を繰り返しながら筒体１６の先端へと導光され、各所で所定の角度で入射した一部の光がレンズシート２４を透過する。
【００３９】
レンズシート２４を透過した光は、その外側に配置されたプリズムシート２２に入射する。プリズムシート２２には、プリズム溝２２ｂが筒体１６の軸方向及びこれに直交する方向に形成されており、入射した光は、あらゆる方向に拡散しながらプリズムシート２２を透過し、これにより、筒体１６の全体を一様に光らせることができる。また、所定の角度でプリズムシート２２に入射した光は反射される。反射された光は、レンズシート２４の裏面側で反射され、再度プリズムシート２２に入射され、これによっても光を拡散させることができる。
【００４０】
よって、ＬＥＤ３２ａから筒体１６内に照射された光は、レンズシート２４による反射を繰り返しながら先端へと導光されつつ、各所でレンズシート２４を透過した光がプリズムシート２２及び外筒２０を拡散しながら透過して、筒体１６の外周面全体を赤色に発光させる。
【００４１】
また、照射された光のうち筒体１６の先端に到達した光は、反射部材２８により反射され、再度筒体１６内部へと戻され、同様に、筒体１６の下端へと導光されながら、一部の光がレンズシート２４、プリズムシート２２、外筒２０を透過して筒体１６を光らせる。なお、反射部材２８は、円錐形状をしているため、筒体１６の先端に到達した光はそのまま下端方向へ反射されるのではなく、外筒２０方向へ角度をつけて反射される。これにより、筒体１６の先端近傍でレンズシート２４を透過する光が多くなり、筒体１６の下端付近に比べて到達する光量の少ない先端付近の筒体外周面を明るく光らせることができる。
【００４２】
以上、詳細に説明した本実施の形態に係る誘導灯１０によれば、筒体１６の一端に設けられた発光体３２から発光された光の減衰を抑えながら先端部に導光することが可能となり、筒体１６の外周面全体を一様に光らせることができる。
【００４３】
なお、本実施の形態においては、本発明の主旨を逸脱しない範囲内で種々の変形が可能であることは言うまでもない。例えば、本実施の形態では、発光体３２を、反射板３４の反射面３４ａ上の外側に、同心円状に６０度間隔で６個設けたが、必要に応じて任意の場所に、任意の数のＬＥＤを設けても良い。
【００４４】
また、本実施の形態においては、発光体３２を反射板３４の反射板３４ｂ上に接着材等で接着して固定したが、反射板３４に発光体３２を挿入するための凹部を設け、その凹部に発光体３２を挿入して固定されても良い。
【００４５】
また、本実施の形態においては、上部カバー２６の凹状の内面２６ａには、円錐形状の反射部材２８を設けて、発光体３２から発光された光を反射したが、円盤状の反射板等、適宜他の反射部材を用いることができる。但し、筒体１６の先端部を明るく光らせるためには、角錐形状の反射部材等、到達した光を外筒２０方向へ角度をつけて反射させる反射部材、すなわち、筒体１６の軸に対して傾斜した反射面を有する反射部材を用いることが望ましい。
【００４６】
また、本実施の形態においては、筒体１６を、外筒２０、プリズムシート２２及びレンズシート２４からなる３層構成としたが、外筒２０内にレンズシート２４を挿入する２層構成としても良い。なお、この場合には、外筒２０の内周面に光を拡散させるための凹凸を成型し、筒体１６全体を一様に明るく光らせるように構成することが望ましい。すなわち、筒体の最内周には、筒体の一端から入射した光を他端へと導光する作用を主として有する第１の光学部材を配置し、その外側に第１の光学部材を透過した光を拡散させて透過させる作用を主として有する光学部材を配置する必要がある。
【００４７】
また、本実施の形態においては、円筒形状の筒体１６を使用したが、三角又は四角形状等の角筒形状の筒体が使用されても良い。
【００４８】
また、本実施の形態においては、赤色のプリズムシート２２を使用したが、他の色のプリズムシートが使用されても良い。例えば、黒と黄色の縞々のプリズムシートを用いることで、注意を促すための誘導灯として使用されても良い。さらに、赤色等の外筒２０を用いることで、透明のプリズムシートが用いられても良い。
【００４９】
また、本実施形態では、レンズシート２４の柱状プリズムを形成するためのプリズム溝を、筒体の軸に直交する、周方向に平行な溝としたが、完全に円周方向に平行でなくとも良い。例えば、筒体１６の軸にほぼ直交する螺旋状のプリズム溝によって仕切られた柱状プリズムであっても、ほぼ同様の導光作用を奏することは可能である。
【図面の簡単な説明】
【００５０】
【図１】図１は、本発明の実施の形態に係る誘導灯の照明体の一部を切断した状態を示す概略断面図である。
【図２】図２は、図１のＡ−Ａ線拡大断面図である。
【図３】図３は、図１のＢ部矢視拡大図である。
【図４】図４は、本実施の形態に係るプリズムシートの構成を示す図であり、図４（ａ）は、概略斜視図、図４（ｂ）は、その概略断面図である。
【図５】図５は、図５は、本実施の形態に係るレンズシートの構成を示す図であり、図５（ａ）は、概略斜視図、図５（ｂ）は、その概略断面図である。
【図６】図６は、本実施の形態に係る誘導灯の光の進行方向をイメージ的に示す図である。
【図７】図７は、従来の誘導棒を示す図である。
【符号の説明】
【００５１】
１０    誘導灯
１２    照明体
１４    電池ケース
１６    筒体
１８    発光部
２０    外筒
２２    プリズムシート
２４    レンズシート
２６    上部カバー
２８    反射部材
３０    筐体
３２    発光体
３４    反射板
３６    基板
３８    押しボタン
４０    電池
【図１】
0004740727.tif 000002
【図２】
0004740727.tif 000003
【図３】
0004740727.tif 000004
【図４】
0004740727.tif 000005
【図５】
0004740727.tif 000006
【図６】
0004740727.tif 000007
【図７】
0004740727.tif 000008